(57)【特許請求の範囲】
【請求項１】
食料容器において、
容積部を取り囲む外縁部を含む食料区画と、
第１の部分が前記外縁部に接続し、第２の部分が該外縁部に接続せずに該外縁部を過ぎて延伸して、張出し部を形成する、２つの部分を含む周辺縁部を有する封止カバーと、
前記張出し部に隣接し、前記食料区画の前記外縁部から離れるように延伸し、前記封止カバーに想定される引き離し線が始まる場所を示すとともに前記引き離し線と平行な外縁部を有する引き離しタブガイドであって、前記引き離し線は、該張出し部で始まり、前記周辺縁部の反対側に延伸するものである、少なくとも１つの引き離しタブガイドと、
を備えてなり、
ユーザにより前記張出し部が引っ張られると、前記封止カバーが前記引き離し線に沿って引き離され、前記容積部の一部が露出する、食料容器。
【請求項２】
前記食料区画は食料区画対称軸を有し、該食料区画はこの軸に対し対称である、請求項１記載の食料容器。
【請求項３】
前記封止カバーはカバー対称軸を有し、該封止カバーはこの軸に対し対称である、請求項１記載の食料容器。
【請求項４】
前記第１の部分は、前記外縁部に、接着剤または熱処理によって接続されている、請求項１〜３いずれか１項記載の食料容器。
【請求項５】
前記封止カバーの前記周辺縁部は、前記外縁部に接続せずに該外縁部を過ぎて延伸して第２の張出し部を形成する第３の部分を有し、前記引き離し線は、前記張出し部から、前記第２の張出し部に延伸し、ユーザにより前記張出し部または前記第２の張出し部が引っ張られると、前記封止カバーが前記引き離し線に沿って引き離され、前記容積部の一部が露出する、請求項１記載の食料容器。
【請求項６】
前記食料区画は、蓋側補完連結構造に着脱自在に接続するように適合された食料容器連結構造を有するものである、請求項１記載の食料容器。
【請求項７】
前記食料区画は注ぎ口を含むものである、請求項１〜６いずれか１項記載の食料容器。
【請求項８】
前記封止カバーは、前記張出し部に隣接した切込みを含むものである、請求項１〜７いずれか１項記載の食料容器。
【請求項９】
前記封止カバーは切取り線を含むものである、請求項１〜８いずれか１項記載の食料容器。
【請求項１０】
食料容器兼飲料蓋において、
容積部を取り囲む外縁部、および、食料容器連結構造（７０）を含む、食料区画と、
第１の部分が前記外縁部に接続し、第２の部分が該外縁部に接続せずに該外縁部を過ぎて延伸して、張出し部を形成する、２つの部分を含む周辺縁部を有する封止カバーと、
前記張出し部に隣接し、前記食料区画の前記外縁部から離れるように延伸し、前記カバーに想定される引き離し線が始まる場所を示すとともに前記引き離し線と平行な外縁部を有する引き離しタブガイドであって、前記引き離し線は、該張出し部で始まり、前記周辺縁部の反対側に延伸するものである、少なくとも１つの引き離しタブガイドと、
前記食料容器連結構造（７０）に着脱自在に接続するように適合された蓋側補完連結構造（７５）、および、前記飲料容器の縁部に着脱自在に接続するように適合された飲料容器連結構造（８０）を含む飲料容器蓋（６０）と、
を備え、
ユーザにより前記張出し部が引っ張られると、前記封止カバーが前記引き離し線に沿って引き離され、前記容積部の一部が露出する、食料容器兼飲料蓋。
【請求項１１】
前記食料区画は食料区画対称軸を有し、該食料区画はこの軸に対し対称である、請求項１０記載の食料容器兼飲料蓋。
【請求項１２】
前記封止カバーはカバー対称軸を有し、該封止カバーはこの軸に対し対称である、請求項１０記載の食料容器兼飲料蓋。
【請求項１３】
前記第１の部分は、前記外縁部に、接着剤または熱処理によって接続されている、請求項１０〜１２いずれか１項記載の食料容器兼飲料蓋。
【請求項１４】
前記封止カバーの前記周辺縁部は、前記外縁部に接続せずに該外縁部を過ぎて延伸して第２の張出し部を形成する第３の部分を有し、前記引き離し線は、前記張出し部から、前記第２の張出し部に延伸し、ユーザにより前記張出し部または前記第２の張出し部が引っ張られると、前記封止カバーが前記引き離し線に沿って引き離され、前記容積部の一部が露出する、請求項１０記載の食料容器兼飲料蓋。
【請求項１５】
前記食料区画は注ぎ口を含むものである、請求項１０〜１４いずれか１項記載の食料容器兼飲料蓋。
【請求項１６】
前記封止カバーは、前記張出し部に隣接した切込みを有する、請求項１０〜１５いずれか１項記載の食料容器兼飲料蓋。
【請求項１７】
前記封止カバーは切取り線を含むものである、請求項１０〜１６いずれか１項記載の食料容器兼飲料蓋。
【発明の詳細な説明】
【関連出願の相互参照】
【０００１】
本願は、“ＦＯＯＤ  ＣＯＮＴＡＩＮＥＲ  ＷＩＴＨ  ＰＥＥＬ  ＯＦＦ  ＣＯＶＥＲ”という名称で２０１５年１０月９日に出願した米国仮特許出願第６２／２３９，４８３号の利益を主張し、その内容は、参照により本明細書に組み込まれる。
【技術分野】
【０００２】
本発明は、食料容器に関する。
【背景技術】
【０００３】
本願は、“ＣＵＰ  ＬＩＤ  ＷＩＴＨ  ＩＮＴＥＧＲＡＴＥＤ  ＣＯＮＴＡＩＮＥＲ”という名称で２０１３年１２月３日に発行された特許文献１、“ＴＯＰ  ＭＯＵＮＴＩＮＧ  ＣＡＮ  ＣＯＮＴＡＩＮＥＲ”という名称で２０１４年４月１５日に発行された特許文献２、“ＣＵＰ  ＬＩＤ  ＷＩＴＨ  ＩＮＴＥＧＲＡＴＥＤ  ＣＯＮＴＡＩＮＥＲ”という名称で２０１３年２月２６日に発行された特許文献３、“ＣＵＰ  ＬＩＤ  ＷＩＴＨ  ＩＮＴＥＧＲＡＴＥＤ  ＣＯＮＴＡＩＮＥＲ”という名称で２０１４年５月６日に発行された特許文献４、“ＴＯＰ  ＭＯＵＮＴＩＮＧ  ＣＡＮ  ＣＯＮＴＡＩＮＥＲ”という名称で２０１３年１１月２６日に発行された特許文献５、“ＬＩＤ  ＷＩＴＨ  ＩＮＴＥＧＲＡＴＥＤ  ＣＯＮＴＡＩＮＥＲ”という名称で２０１４年４月２９日に発行された特許文献６、“ＴＷＯ−ＰＡＲＴ  ＲＥＣＹＣＬＡＢＬＥ  ＣＵＰ”という名称で２０１４年４月２２日に発行された特許文献７、“ＴＯＰ  ＭＯＵＮＴＩＮＧ  ＢＯＴＴＬＥ  ＣＯＮＴＡＩＮＥＲ”という名称で２０１２年３月５日に出願された特許文献８、“ＣＵＰ  ＬＩＤ  ＷＩＴＨ  ＩＮＴＥＧＲＡＴＥＤ  ＣＯＮＴＡＩＮＥＲ”という名称で２０１２年１１月１７日に出願された特許文献９、“ＣＵＰ  ＬＩＤ  ＷＩＴＨ  ＩＮＴＥＧＲＡＴＥＤ  ＣＯＮＴＡＩＮＥＲ”という名称で２０１２年１１月１７日に出願された特許文献１０、“ＣＵＰ  ＬＩＤ  ＷＩＴＨ  ＩＮＴＥＧＲＡＴＥＤ  ＣＯＮＴＡＩＮＥＲ”という名称で２０１３年１月３日に出願された特許文献１１、“ＬＩＤ  ＷＩＴＨ  ＩＮＴＥＧＲＡＴＥＤ  ＣＯＮＴＡＩＮＥＲ”という名称で２０１４年４月２８日に出願された特許文献１２、“Ａ  ＣＯＮＴＡＩＮＥＲ  ＬＩＤ  ＷＩＴＨ  ＯＮＥ  ＯＲ  ＭＯＲＥ  ＣＡＶＩＴＩＥＳ”という名称で２０１４年５月２日に出願された特許文献１３、“Ａ  ＣＯＮＴＡＩＮＥＲ  ＬＩＤ  ＷＩＴＨ  Ａ  ＦＯＯＤ  ＣＯＭＰＡＲＴＭＥＮＴ  ＡＮＤ  Ａ  ＳＩＰ−ＨＯＬＥ”という名称で２０１４年５月９日に出願された特許文献１４、“Ａ  ＣＯＮＴＡＩＮＥＲ  ＬＩＤ  ＳＹＳＴＥＭ  ＷＩＴＨ  Ａ  ＬＩＤ  ＰＯＲＴＩＯＮ  ＡＮＤ  ＦＯＯＤ  ＣＯＮＴＡＩＮＥＲ  ＰＯＲＴＩＯＮ”という名称で２０１４年６月２４日に出願された特許文献１５、“Ａ  ＣＯＮＴＡＩＮＥＲ  ＬＩＤ  ＳＹＳＴＥＭ  ＷＩＴＨ  Ａ  ＬＩＤ  ＰＯＲＴＩＯＮ  ＡＮＤ  ＦＯＯＤ  ＣＯＮＴＡＩＮＥＲ  ＰＯＲＴＩＯＮ”という名称で２０１４年５月３０日に出願された特許文献１６、“ＢＥＮＤＡＢＬＥ  ＤＲＩＮＫＩＮＧ  ＳＴＲＡＷ”という名称で２０１４年８月２２日に出願された特許文献１７、“ＢＥＮＤＡＢＬＥ  ＳＡＦＥＴＹ  ＳＴＲＡＷ”という名称で２０１４年８月１６日に出願された特許文献１８、“ＢＥＮＤＡＢＬＥ  ＳＡＦＥＴＹ  ＳＴＲＡＷ  ＡＮＤ  ＬＩＤＳ  ＷＩＴＨ  ＦＯＯＤ  ＣＯＭＰＡＲＴＭＥＮＴ”という名称で２０１５年１月２０日に出願された特許文献１９、“ＦＯＯＤ  ＣＯＮＴＡＩＮＥＳ，ＴＲＡＹＳ  ＡＮＤ  ＬＩＤＳ”という名称で２０１６年９月１６日に出願された特許文献２０、“ＴＲＡＹ  ＦＯＲ  ＦＯＯＤ  ＣＯＮＴＡＩＮＥＲ”という名称で２０１５年１０月９日に出願された特許文献２１、および、“ＣＵＰ  ＬＩＤ  Ｗ��ＴＨ  ＩＮＴＥＧＲＡＴＥＤ  ＣＯＮＴＡＩＮＥＲ”という名称で２０１６年１月３日に出願された特許文献２２にも関し、全て、本願と同じ発明者によるものである。これらの各出願は、参照により、本明細書に組み込まれる。
【０００４】
ファーストフード店の人気の高まりが、活動しながら食べることの人気と合わさり、より便利な食料包装が必要になった。
【０００５】
毎年、何十億個もの使い捨て飲料容器が使われている。それらの容器は、より大きな食事の一部であることが多く、現在の技術では、飲料容器に蓋がされ、食料は、別の取り外した容器に詰められる。これは、テーブルに着席した消費者には、満足なものかもしれない。しかしながら、消費者が活動しながら食べなければならない場合には、現在の技術の使用には、問題がある。例えば、飲料を飲みながら、ナッツ、キャンディ、または、他のスナックに手を伸ばしたい消費者を、考えてみよう。消費者は、飲料を脇に置き、次に、片手でスナック容器を保持し、反対の手でスナックにアクセスしなければならない。この例が示すように、現在の技術では、便利に活動しながら食べることはできない。
【０００６】
この問題をさらに難しくしているのは、スナック容器中のスナックへのアクセスが困難だということであり、不注意からスナック容器の中身を全てこぼしてしまうことも多い。例えば、ほとんどの人は、ポテトチップまたはキャンディの袋を開けるのに力を入れすぎて、ポテトチップ／キャンディを、四方八方に飛ばしてしまった経験がある。
【先行技術文献】
【特許文献】
【０００７】
【特許文献１】米国特許第８，５９６，４９１号明細書
【特許文献２】米国特許第８，６９５，８４５号明細書
【特許文献３】米国特許第８，３８１，９３５号明細書
【特許文献４】米国特許第８，７１４，３９３号明細書
【特許文献５】米国特許第８，５９０，７３０号明細書
【特許文献６】米国特許第８，７０８，１８１号明細書
【特許文献７】米国特許第８，７０１，９１４号明細書
【特許文献８】米国特許出願第１３／４１２，６０２号明細書
【特許文献９】米国特許出願第１３／６８０，０１１号明細書
【特許文献１０】米国特許出願第１３／６８０，０４９号明細書
【特許文献１１】米国特許出願第１３／７３３，１５３号明細書
【特許文献１２】米国特許出願第１４／２６３，９９３号明細書
【特許文献１３】米国特許出願第１４／２６９，０１６号明細書
【特許文献１４】米国特許出願第１４／２７４，５７６号明細書
【特許文献１５】米国特許出願第１４／３１３，９０７号明細書
【特許文献１６】米国仮特許出願第６２／００５，８６２号明細書
【特許文献１７】米国特許出願第２９／５００，２６６号明細書
【特許文献１８】米国仮特許出願第６２／０３８，２０９号明細書
【特許文献１９】米国仮特許出願第６２／１０５，２５６号明細書
【特許文献２０】米国仮特許出願第６２／３９５，９１１号明細書
【特許文献２１】米国仮特許出願第６２／２３９，４８５号明細書
【特許文献２２】米国特許出願第１４／９８６，７０３号明細書
【発明の概要】
【発明が解決しようとする課題】
【０００８】
したがって、これらの欠点を克服し、便利に活動しながら食べることを促進させるような食料容器が必要とされている。
【課題を解決するための手段】
【０００９】
以下、請求した主題の態様のいくつかを、基本的に理解してもらうために、要約を簡略に記載する。この要約は、広範囲の概観ではなく、主要／重大要素を特定することも、請求した主題の範囲を詳述することも意図していない。後述する詳細な記載の前に、概念のいくつかを、簡略に記載することを目的とする。
【００１０】
本発明は、上記のような要望に対し、的確な解決策を提供し、当業者には明らかであろう数々の更なる利点および優位点を提供する。食料区画および封止カバーを有する食料容器が開示される。食料区画は、容積部を取り囲む外縁部を有する。食料区画の外縁部に隣接して、１つ以上の引き離しタブガイドが、外縁部から外側に延伸し、封止カバーの一部を取り除くための方向を示す引き離しガイドとして機能する。封止カバーは、２つの部分を含む周辺縁部を有し、第１の部分は、外縁部に接続し、第２の部分は、外縁部に接続せずに外縁部を過ぎて延伸して、張出し部を形成する。延伸した引き離しタブガイドは、カバー張出し部に隣接して位置し、ユーザに、引き離し線が始まる場所を知らせている。引き離し線は、張出し部で始まり、周辺縁部の反対側に延伸する。ユーザが、張出し部を引っ張ると、封止カバーが、引き離し線に沿って引き離され、食料区分容積部の一部が露出する。
【００１１】
実施形態によっては、食料区画は、食料区画対称軸に対し対称であってもよい。食料区画は、蓋側補完連結構造に着脱自在に接続するように適合された食料容器連結構造も有していてもよい。食料区画は、注ぎ口を有していてもよい。封止カバー張出し部に隣接し、延伸した引き離しタブガイドの縁部は、引き離し線に平行でもよく、ユーザが、カバーを、引き離し線に沿って引き離すのを助ける。
【００１２】
他の実施形態において、封止カバーは、カバー対称軸に対し対称であってもよい。周辺縁部の第１の部分は、接着剤または熱処理により、外縁部に接続していてもよい。引き離しタブガイドは、封止カバーが接着される、より大きな表面積も提供し、カバーが引き離しタブガイドに確実に接着されているので、ユーザが封止カバーの張出し部を引っ張った時に、所期の引き離し線に沿って引き離され易くなる。封止カバーは、張出し部に隣接した切込み、および／または、切取り線も有していてもよく、どちらも、所期の引き離し線に沿って引き離され易くする。
【００１３】
さらに他の実施形態において、封止カバーの周辺縁部は、外縁部に接続せずに外縁部を過ぎて延伸して第２の張出し部を形成する、第３の部分も有していてもよい。引き離し線は、張出し部から第２の張出し部に延伸し、ユーザが、張出し部、または、第２の張出し部を引っ張ると、封止カバーが、所期の引き離し線に沿って引き離され、食料容器容積部の一部が露出する。
【００１４】
当業者に明らかであるような、更なる態様、代替例および変形例も、本明細書に開示され、本発明の一部として含まれるものであることを、特に意図している。本発明は、本願または関連出願において、特許庁が許可した請求項にのみ規定され、以下、いくつかの例を要約して記載するが、法的保護範囲を制限、画定、または、別に確立するものでは全くない。
【００１５】
本発明は、以下の図面を参照することで、更に理解されうるだろう。図面中の構成要素は、必ずしも縮尺通りではなく、むしろ、本発明の例示的態様を、はっきりと示すことに重きが置かれている。図面では、異なる図面および／または実施形態を通し、対応する部分は、類似の参照番号で示されている。構成要素および詳細の中には、本発明をより明瞭に記載するのを助けるために、図面には表されていないものがあると理解されるだろう。
【図面の簡単な説明】
【００１６】
【図１Ａ】封止カバーを所期の引き離し線に沿って引き離すように、ユーザを導くように設計した新しい食料容器の第１の実施形態の上面斜視図を示す。
【図１Ｂ】封止カバーを所期の引き離し線に沿って引き離すように、ユーザを導くように設計した新しい食料容器の第２の実施形態の上面斜視図を示す。
【図１Ｃ】封止カバーを所期の引き離し線に沿って引き離すように、ユーザを導くように設計した新しい食料容器の第３の実施形態の上面斜視図を示す。
【図１Ｄ】封止カバーを所期の引き離し線に沿って引き離すように、ユーザを導くように設計した新しい食料容器の第４の実施形態の上面斜視図を示す。
【図２Ａ】図１Ａに示した第１の実施形態の底面斜視図を示す。
【図２Ｂ】図１Ｂに示した第２の実施形態の底面斜視図を示す。
【図２Ｃ】図１Ｃに示した第３の実施形態の底面斜視図を示す。
【図２Ｄ】図１Ｄに示した第４の実施形態の底面斜視図を示す。
【図３Ａ】図１Ａに示した第１の実施形態を示し、切取り線を有している。
【図３Ｂ】図１Ｂに示した第２の実施形態を示し、切取り線を有している。
【図３Ｃ】図１Ｃに示した第３の実施形態を示し、切取り線を有している。
【図３Ｄ】図１Ｄに示した第４の実施形態を示し、切取り線を有している。
【図４Ａ】図１Ａに示した第１の実施形態を示し、封止カバーが、切取り線の引き離し経路に沿って取り除かれた状態である。
【図４Ｂ】図１Ｂに示した第２の実施形態を示し、封止カバーが、切取り線の引き離し経路に沿って取り除かれた状態である。
【図４Ｃ】図１Ｃに示した第３の実施形態を示し、封止カバーが、切取り線の引き離し経路に沿って取り除かれた状態である。
【図４Ｄ】図１Ｄに示した第４の実施形態を示し、封止カバーが、切取り線の引き離し経路に沿って取り除かれた状態である。
【図５Ａ】第１の実施形態の上面斜視図を示し、封止カバーが取り外され、食料容器の全構造が見える状態である。
【図５Ｂ】第１、第２、第３および第４の実施形態の上面斜視図を示し、封止カバーが取り外され、食料容器の全構造が見える状態である。
【図６】第１の実施形態を示し、飲料容器の連結蓋に取り付けた状態、および、取り外した状態である。
【図７】第１の実施形態を示し、飲料容器の連結蓋に取り付けた状態、および、取り外した状態であり、封止カバーが、切取り線の引き離し経路に沿って取り除かれている。
【発明を実施するための形態】
【００１７】
本明細書では、本発明を実施するために本発明者によって考えられた任意のベストモードを含む、本発明の具体例のいくつかを記載する。これらの具体的な実施形態の例は、添付の図面に示されている。本発明を、これらの具体的な実施形態と関連して記載するが、本発明を、記載または図示した実施形態に制限することを意図していないと理解されるだろう。むしろ、添付の請求項に記載したような本発明の精神および範囲に含まれてもよい代替例、変更例、および、等価物を網羅することを意図している。
【００１８】
以下の記載において、本発明の完全な理解のために、数々の具体的な詳細を示す。本発明の特定の例示的実施形態は、これらの具体的な詳細のいくつか、または、全てを含まずに実施されてもよい。他の場合において、本発明を不必要に曖昧にさせないために、当業者に周知の処理動作は、詳細に記載していない。本発明の様々な技術および機構を明瞭に記載するために、単数形で記載する場合がある。しかしながら、別段の記載がない限り、実施形態のいくつかは、技術を、多数回、繰り返すこと、または、多数の機構を含むものであることに留意すべきである。同様に、ここに示し、記載した方法の様々な工程は、必ずしも示した順序で行われないか、実施形態によっては、全く行われない。したがって、本明細書に記載した方法は、図示または記載した工程より多いか、または、少ない工程を含んで実施されてもよい。更に、本発明の技術および機構は、２つ以上のもの同士の接続、関係または連通を記載する場合がある。もの同士の接続または関係は、任意の２つのもの間に様々な他のものが存在するか、または、工程が行われてもよいので、必ずしも、直接的で、妨げるものがない接続を意味するものではないと留意すべきである。したがって、別段の記載がない限りは、示した接続は、必ずしも、直接的で、妨げるものがない接続を意味するものではない。
【００１９】
以下の例示的特徴物のリストは、図１Ａから７に対応し、参照を容易にするために用意したものであり、明細書および図面を通して、類似の参照番号は対応する特徴物を示している。
【００２０】
５Ａ  食料容器の第１の実施形態
５Ｂ  食料容器の第２の実施形態
５Ｃ  食料容器の第３の実施形態
５Ｄ  食料容器の第４の実施形態
１０  注ぎ口
１２  食料区画
１５  封止カバー
１７Ａ  封止カバー周辺縁部の第１の部分
１７Ｂ  封止カバー周辺縁部の第２の部分
２０Ａ  食料容器の縁部（第１の実施形態）
２０Ｂ  食料容器の縁部（第２の実施形態）
２２  食料区画容積部
２５Ａ  封止カバーを引き離すためのカバー張出し部（第１の実施形態）
２５Ｂ  封止カバーを引き離すためのカバー張出し部（第２の実施形態）
３０Ａ  封止カバーを引き離すための方向ガイドとして機能する、延伸した引き離しタブガイド（第１の実施形態）
３０Ｂ  封止カバーを引き離すための方向ガイドとして機能する、延伸した引き離しタブガイド（第２の実施形態）
３０ＢＢ  封止カバーを引き離すための方向ガイドとして機能する、追加の延伸した引き離しタブガイド（第２の実施形態）
３２  食料区画対称軸
３３  カバー対称軸
３４  封止カバーを引き離すための第２のカバー張出し部（第２および第３の実施形態）
３５Ａ  延伸した引き離しタブガイドによって引き離しが妨げられた方向（第１の実施形態）
３５Ｂ  延伸した引き離しタブガイドによって引き離しが妨げられた方向（第２の実施形態）
４０Ａ  延伸した引き離しタブガイドが導く引き離し方向（第１の実施形態）
４０Ｂ  延伸した引き離しタブガイドが導く引き離し方向（第２の実施形態）
４５Ａ  引き離し線（第１の実施形態）
４５Ｂ  引き離し線（第２の実施形態）
４５Ｃ  引き離し線（第３の実施形態）
４５Ｄ  引き離し線（第４の実施形態）
５０Ａ  切取り線（第１の実施形態）
５０Ｂ  切取り線（第２の実施形態）
５０Ｃ  切取り線（第３の実施形態）
５０Ｄ  切取り線（第４の実施形態）
５５  カバー切込み
６０  飲料容器蓋
６５  飲料容器
７０  食料容器連結構造
７５  蓋側補完連結構造
８０  飲料容器連結構造
図１は、食料区画１２および封止カバー１５を備えた、食料容器（５Ａ、５Ｂ、５Ｃ、５Ｄ）をいくつか示している。しかしながら、封止カバー１５は、食料区画から完全には取り除かれるようには、設計されていない。このことは、コーンナッツ、キャンディおよびナッツなど、ユーザの口に注ぎ込まれるかもしれない小さな食品用に、有利である。封止カバー１５が全て取り除かれてしまうと、ユーザが食料容器（５Ａ、５Ｂ、５Ｃ、５Ｄ）を持ち上げて、中身を自分の口に注ぐ時に、中身がこぼれてしまうかもしれない。見てわかるように、図１Ａおよび１Ｄに示したように、食料容器（５Ａ、５Ｄ）は、食料区画１２へと形成された注ぎ口１０および封止カバー１５を有していてもよいが、図１Ｂおよび１Ｃの実施形態のように、食料容器（５Ｂ、５Ｃ）は、そのような注ぎ口１０を有する必要はない。
【００２１】
食料容器（５Ａ、５Ｂ、５Ｃ、５Ｄ）は、食料区画１２の一部だけが露出するように、封止カバー１５を所期の引き離し線に沿って引き離すように、ユーザを導く、または、指示するように設計されている。このようにして、ユーザは、食料区画１２から中身を注ぎ出す動作を通して、こぼすことなく、中身にアクセスしてもよい。
【００２２】
図２Ａから２Ｄは、図１Ａから１Ｄに示した同じ実施形態に対応しているが、上方に向いた斜視図を示している。同様に、図３Ａから３Ｄ、４Ａから４Ｄ、および５Ｂは、図１Ａから１Ｄに示した同じ実施形態に対応する。
【００２３】
図２Ａは、容積部２２を取り囲む、食料容器の外縁部２０Ａを示している（図４Ａ、５Ａ、５Ｂを参照）。図２Ａ、５Ａおよび５Ｂは、封止カバー１５の張出し部２５Ａを形成しいる特定の位置で、封止カバー１５の一部を引き離すべき場所に、ユーザを導き、食料区画容積部２２の一部にアクセスできるようにする、延伸した引き離しタブガイド３０Ａを示している。さらに、１つ以上の延伸した引き離しタブガイド３０Ａは、タブを、矢印４０Ａの方向に引き離すように、ユーザを導くものであり、このことが、図１Ａに、より明らかに示されている。ユーザが、一旦、矢印４０Ａの方向に引き離し始めると、封止カバー１５は、線４５Ａに沿って引き離され続けるだろう（図４Ａ）。封止カバー１５が２つの部分を含む周辺縁部を有するので、この引き離し線４５Ａは、強調されており、第１の部分１７Ａ（図３Ａ）は、接着剤、熱処理、または、他の適切な手段によって、外縁部２０Ａに接着され、第２の部分１７Ｂ（図３Ａ）は、外縁部２０Ａを過ぎて、ユーザがそれを引っ張るのに十分な程度に延伸する張出し部２５Ａを形成するので、外縁部２０Ａに接着されていない。周辺縁部１７Ａの第１の部分も、わずかに張出していてもよいが、その張出しの程度は、ユーザがそれを引っ張るのに十分な程度ではないだろう。特に、図２Ａおよび図５Ａに示しているように、位置３０Ａでの外縁部２０Ａの形状は、引き離し線４５Ａの方向に平行であり、張出し部２５Ａを形成して、引き離し線４５Ａの方向に沿って引き離すように、ユーザを導き、食料区画容積部２２の一部を露出させる。引き離し線４５Ａは、食料区画１２の上面を横切っているので、容積部２２の一部だけが露出することになるだろう。このことは、ユーザが、食料区画１２から中身を注ぎ出す動作を通して、こぼすことなく、中身にアクセスしてもよいので、有利である。図４Ａから４Ｄは、封止カバー１５の一部だけを、どのように取り除いて、容積部２２の一部を露出させるかを示している。
【００２４】
第１の実施形態である５Ａについての食料区画１２は、食料区画対称軸３２に対し対称であるが、封止カバー１５は対称ではない。このことにより、ユーザが、封止カバー１５を引き離しうる位置が、一カ所だけになる。封止カバー１５が、カバー対称軸３３に対し対称に作製されれば、ユーザは、第２の位置／張出し部３４から引き離し始めて、カバー１５を開けうるだろう。所期の引き離し線に沿って引き離すように、ユーザを導くのを更に助けるために、切取り線５０Ａを使用してもよい。
【００２５】
切取り線も、５０Ａ、５０Ｂ、５０Ｃおよび５０Ｄとして、第１、第２、第３および第４の実施形態にそれぞれ対応する、図３Ａから３Ｄに示している。さらに、第１、第２、第３および第４の実施形態にそれぞれ対応する、図４Ａから４Ｄに示した引き離し線４５Ａ、４５Ｂ、４５Ｃまたは４５Ｄに沿って引き離すように、ユーザを導く。
【００２６】
図１Ｂ、２Ｂ、３Ｂ、４Ｂおよび５Ｂは、第２の実施形態の食料容器５Ｂを示し、延伸した引き離しタブガイド３０Ｂが、食料容器外縁部２０Ｂに隣接して位置し、封止カバー１５と共に機能して、封止カバー１５を所期の引き離し線４５Ｂに沿って引き離すように、ユーザを導く。具体的には、図１Ｂおよび２Ｂで、外縁部２０Ｂは、外側に延伸して、封止カバー張出し部３０ＢＢに隣接した引き離しタブガイドを追加で形成し、張出し部２５Ｂを矢印３５Ｂの方向に引っ張る場所へ、ユーザを導く。封止カバー１５は、カバー１５を矢印４０Ｂの方向に引き離すように導く、切込み５５も有する。引き離しタブガイド３０Ｂ（図２Ｂ）と、封止カバー張出し部２５Ｂおよび切込み５５の巧みな位置との組合せにより、ユーザは、確実に、図４Ｂに示された所期の引き離し線４５Ｂに沿って引き離しを行う。ユーザが、所期の引き離し線に沿って引き離しを行うのを更に助けるために、図３Ａから３Ｄの様々な実施形態に示しているような切取り線５０Ａから５０Ｄを使用してもよい。切込み５５が、切取り線の終端にあってもよく、ユーザが、カバーを引き離し線に沿って引き離すのを更に助ける。図１Ｃ、１Ｄ、２Ｃ、２Ｄ、３Ｃ、３Ｄ、４Ｃ、４Ｄおよび５Ｂに示した第３および第４の実施形態は、第１および第２の実施形態、つまり、食料容器５Ａ、５Ｂを参照して記載した上記のものと同様である。
【００２７】
第１の実施形態である５Ａは、ユーザが、封止カバーを、１方向からのみ引き離して開けるのを可能にするが、第２の実施形態である５Ｂは、ユーザが、封止カバーを、２方向から引き離して開けるのを可能にし、換言すれば、第２の張出し部３４を有している。同様に、第３の実施形態である５Ｃは、引き離して開ける位置を２つ有し、第４の実施形態である５Ｄは、位置を１つだけ有する。
【００２８】
さらに、図示した実施形態についての食料区画は、対称であることにも留意すべきであるが、対称でなくてもよい。
【００２９】
図６および７は、食料容器５Ａが、どのように構成されて、飲料容器６５の蓋６０に連結されるかを示している。食料容器５Ａの底部は、蓋６０に位置する補完連結構造７５に着脱自在に係合される連結構造７０を有していてもよい。蓋６０は、蓋６０を飲料容器６５の外縁部に着脱自在に取り付ける飲料容器連結構造８０も有していてもよい。そのような蓋は、“Ａ  ＣＯＮＴＡＩＮＥＲ  ＬＩＤ  ＳＹＳＴＥＭ  ＷＩＴＨ  Ａ  ＬＩＤ  ＰＯＲＴＩＯＮ  ＡＮＤ  ＦＯＯＤ  ＣＯＮＴＡＩＮＥＲ  ＰＯＲＴＩＯＮ”という名称で２０１４年６月２４日に出願された米国特許出願第１４／３１３，９０７号明細書、および、“ＣＵＰ  ＬＩＤ  ＷＩＴＨ  ＩＮＴＥＧＲＡＴＥＤ  ＣＯＮＴＡＩＮＥＲ”という名称で２０１６年１月３日に出願された米国特許出願第１４／９８６，７０３号明細書に記載されている。他にも、そのような飲料容器蓋は、“ＢＥＶＥＲＲＡＧＥ  ＣＯＮＴＡＩＮＥＲ  ＬＩＤ”という名称で、２０１６年９月２７日に発行された米国特許第Ｄ７６７，３９１号明細書にも示されている。これらの特許および特許出願は、本願と同じ発明者によるもので、参照により、全て、本明細書に組み込まれる。連結される蓋の他の例は、本仮出願の冒頭に挙げた特許出願に記載されおり、参照により、全て、本明細書に組み込まれる。
【００３０】
本明細書に記載した食料容器は、制限するものではない例として、熱形成（薄厚）および薄壁射出成形を含む様々な方法を用いて製造されてもよい。材料の種類は、当業者には明らかであるだろうし、制限するものではない例として、ＰＰ（ポリプロピレン）、ＰＥＴ（ポリエチレンテレフタレート）、ＣＰＥＴ、ＲＰＥＴポリエチレン（ＨＤＰＥ／ＬＤＰＥ）、スチレン、ＨＩＰＳ、ＨＭＷＰＥ、ＰＰ／ＰＥ混合物、（消費者または産業によって使用済みの材料を含有しても、または、含有しなくてもよい）熱可塑性物質の特注混合物、および、熱可塑性物質の他の専有混合物を含んでもよい。
【００３１】
本明細書では、上記、および、含められた例示的図面に示すような、本発明の例示的な実施形態および応用例を記載したが、本発明を、これらの例示的な実施形態および応用例に、若しくは、例示的な実施形態および応用例が働くか、または、本明細書に記載した態様に限定することを、全く意図していない。むしろ、当業者に明らかなように、例示的な実施形態に対する多くの変形および変更が可能である。本発明は、結果として得られる装置、システムまたは方法が、本願または任意の関連特許出願に基づき特許庁が許可した請求項の１項の範囲に入る限りは、任意の装置、構造、方法、または、機能的特性を含んでもよい。
【符号の説明】
【００３２】
５Ａ、５Ｂ、５Ｃ、５Ｄ  食料容器
１０  注ぎ口
１２  食料区画
１５  封止カバー
１７Ａ  封止カバー周辺縁部の第１の部分
１７Ｂ  封止カバー周辺縁部の第２の部分
２２  食料区画容積部
２５Ａ、２５Ｂ  カバー張出し部
３０Ａ、３０Ｂ  引き離しタブガイド
３０ＢＢ  追加の延伸した引き離しタブガイド
３２  食料区画対称軸
３３  カバー対称軸
３４  第２のカバー張出し部
４５Ａ、４５Ｂ、４５Ｃ、４５Ｄ  引き離し線
５０Ａ、５０Ｂ、５０Ｃ，５０Ｄ  切取り線
５５  切込み
６０  飲料容器蓋
７０  食料容器連結構造
７５  蓋側補完連結構造
８０  飲料容器連結構造
【図１Ａ】
0006744866.tif 000002
【図１Ｂ】
0006744866.tif 000003
【図１Ｃ】
0006744866.tif 000004
【図１Ｄ】
0006744866.tif 000005
【図２Ａ】
0006744866.tif 000006
【図２Ｂ】
0006744866.tif 000007
【図２Ｃ】
0006744866.tif 000008
【図２Ｄ】
0006744866.tif 000009
【図３Ａ】
0006744866.tif 000010
【図３Ｂ】
0006744866.tif 000011
【図３Ｃ】
0006744866.tif 000012
【図３Ｄ】
0006744866.tif 000013
【図４Ａ】
0006744866.tif 000014
【図４Ｂ】
0006744866.tif 000015
【図４Ｃ】
0006744866.tif 000016
【図４Ｄ】
0006744866.tif 000017
【図５Ａ】
0006744866.tif 000018
【図５Ｂ】
0006744866.tif 000019
【図６】
0006744866.tif 000020
【図７】
0006744866.tif 000021